(57)【特許請求の範囲】
【請求項１】
ブロック体の四周の側面に２方向の走行ローラを有するランナ本体と、該ランナ本体に付設する摺動部材とを備えてなり、前記走行ローラは、ハンガレールの直線部分においてハンガレールの走行面上を転動し、前記摺動部材は、前記ブロック体と同大の本体部の各隅角部に補助ガイド部を形成するとともに下面を下向きに膨出する滑らかな曲面に形成し、ハンガレールの交差部分において、前記補助ガイド部を介してハンガレールの走行面上にガイドされ、交差部分の四周の走行面上を摺動することを特徴とする移動間仕切りの走行ランナ。
【請求項２】
前記摺動部材は、下面中央部に角ブロック状のガイド部を形成し、ハンガレールの開口部を介して前記ランナ本体をガイドするガイドローラを前記ガイド部の各隅角部に装着することを特徴とする請求項１記載の移動間仕切りの走行ランナ。
【請求項３】
前記ランナ本体は、複数の係合突部を介して十字状のガイド溝を上面に形成し、前記係合突部は、ハンガレールの交差部分に設ける係合ローラに係合することを特徴とする請求項１または請求項２記載の移動間仕切りの走行ランナ。
【請求項４】
前記各係合突部は、三角形状に形成し、内向きの頂部にガイド面を有することを特徴とする請求項３記載の移動間仕切りの走行ランナ。
【発明の詳細な説明】
【０００１】
【発明の属する技術分野】
この発明は、ハンガレールの交差部分を円滑に通過移動させることができる移動間仕切りの走行ランナに関する。
【０００２】
【従来の技術】
移動間仕切りをハンガレールから吊下して移動させるために、ハンガレールの交差部分を円滑に通過させることができる走行ランナが提案されている（特開昭５９−１４５８７９号公報）。
【０００３】
このものは、２方向の走行ローラを有するランナ本体の上面に４個の円板状のガイド板を付設して構成されている。各ガイド板は、正方形状に配列され、互いに所定ピッチだけ離れて、互いの間に十字状のガイドスペースを形成している。また、ハンガレールの交差部分には、ハンガレールと別体の十字状の取付ベースを介装し、取付ベースの下面には、ランナ本体のガイド板に係合するガイド部材が下向きに付設されている。そこで、走行ランナは、ハンガレールの交差部分において、各ガイド板がガイド部材に係合することにより、ハンガレールの交差部分を円滑に直進して通過することができ、交差部分の中央部において一時的に停止させて位置決めすることにより、任意の方向に進行方向を変えて移動させることができる。走行ランナは、ガイド部材がガイドスペース内に相対的に進入して各ガイド板がガイド部材に均等に係合することにより、走行ローラがハンガレールの走行面から離れても、ガイド部材を介して安定に支持することができるからである。
【０００４】
【発明が解決しようとする課題】
かかる従来技術によるときは、走行ランナは、ハンガレールの交差部分において、ガイド板間のガイドスペースの中央部にガイド部材が正確に位置しない限り、ガイド板によって移動方向が直進方向に制限されるため、進行方向を変えるときは、交差部分の中央部に正しく位置決めして停止させる必要があり、移動間仕切りの移動操作が難しいという問題があった。また、ハンガレールの交差部分に専用の取付ベースを使用するため、交差部分の構造が複雑であり、組立てが面倒であるという問題もあった。
【０００５】
そこで、この発明の目的は、かかる従来技術の問題に鑑み、ランナ本体に摺動部材を付設することによって、任意の方向に進行方向を変えるときであっても、ハンガレールの交差部分においてランナ本体を一時的に停止させる必要がなく、移動間仕切りの移動操作が極めて簡単である上、交差部分の構造も単純にすることができる移動間仕切りの走行ランナを提供することにある。
【０００６】
【課題を解決するための手段】
かかる目的を達成するためのこの発明の構成は、ブロック体の四周の側面に２方向の走行ローラを有するランナ本体と、ランナ本体に付設する摺動部材とを備えてなり、走行ローラは、ハンガレールの直線部分においてハンガレールの走行面上を転動し、摺動部材は、ブロック体と同大の本体部の各隅角部に補助ガイド部を形成するとともに下面を下向きに膨出する滑らかな曲面に形成し、ハンガレールの交差部分において、補助ガイド部を介してハンガレールの走行面上にガイドされ、交差部分の四周の走行面上を摺動することをその要旨とする。
【０００７】
なお、摺動部材は、下面中央部に角ブロック状のガイド部を形成し、ハンガレールの開口部を介してランナ本体をガイドするガイドローラをガイド部の各隅角部に装着することができる。
【０００８】
また、ランナ本体は、複数の係合突部を介して十字状のガイド溝を上面に形成し、係合突部は、ハンガレールの交差部分に設ける係合ローラに係合することができる。
【０００９】
さらに、各係合突部は、三角形状に形成し、内向きの頂部にガイド面を有してもよい。
【００１０】
【作用】
かかる発明の構成によるときは、ランナ本体は、ハンガレールの直線部分において走行ローラを介して走行移動することができ、ハンガレールの交差部分において摺動部材を介して摺動移動することができる。そこで、ランナ本体は、ハンガレールの交差部分において、特定の部材を正確な相対関係に位置させる必要がなく、進行方向を変更するときであっても、一時的に停止させることなく、連続的に円滑に移動させることができる。なお、摺動部材は、ハンガレールの走行面上を摺動する下面を走行ローラより僅かに高く設定するものとし、走行面に対する摩擦を最少にするために、たとえばモリブデンを含有するジュラコンのような耐摩耗性の低摩擦樹脂材料によって形成することが好ましい。
【００１１】
摺動部材にガイドローラを備えるときは、ガイドローラは、ハンガレールの開口部を介してランナ本体をガイドすることができ、ハンガレールにガイド用のリブ等を設けなくても、ランナ本体を進行方向に安定に移動させることができる。
【００１２】
摺動部材のガイド部に設けるガイドローラは、ハンガレールの開口部の壁面に接触することにより、ランナ本体が不用意に水平回転することを防止し、ランナ本体を一層安定に移動させることができる。
【００１３】
複数の係合突部を介してランナ本体の上面に十字状のガイド溝を形成すれば、係合突部は、ハンガレールの交差部分に設ける係合ローラがガイド溝に相対的に進入することにより、ランナ本体が不用意に水平回転することを防止するとともに、ガイド溝を介してランナ本体の進行方向を適切にガイドすることができる。
【００１４】
係合突部の頂部にガイド面を形成するときは、ガイド面は、ランナ本体が進行方向を変えるに際し、係合ローラが係合することによりランナ本体を適切にガイドし、ランナ本体の水平回転を最少に抑えることができる。
【００１５】
各隅角部に補助ガイド部を備える摺動部材は、ハンガレールの交差部分において、補助ガイド部を含む全体が走行面上を摺動し、走行面から外れてしまうおそれがない。
【００１６】
摺動部材の下面を滑らかな曲面に形成すれば、走行ランナは、走行ローラによる走行状態と摺動部材による摺動状態との間を円滑に移行することができ、移行の際に有害な衝撃を発生するおそれがない。
【００１７】
【発明の実施の形態】
以下、図面を以って発明の実施の形態を説明する。
【００１８】
移動間仕切りの走行ランナは、ランナ本体１０と、ランナ本体１０に付設する摺動部材２１とを主要部材としてなる（図１、図２）。ただし、ランナ本体１０は、下部のブロック体１１と上部の蓋体１２とを組み合わせて構成されており、ハンガレールＲ内に移動走行自在に収容されている。
【００１９】
ハンガレールＲは、アルミニウム合金等の軽量の高張力材料からなる角形の中空材である。ハンガレールＲの下部には、長手方向に連続する開口部Ｒ1 が形成されており、開口部Ｒ1 の両側には、走行面Ｒ2 、Ｒ2 が形成されている。また、ハンガレールＲの下部には、逆Ｔ字状の脚部Ｒ3 、Ｒ3 が開口部Ｒ1 の両側に垂設されている。ハンガレールＲは、脚部Ｒ3 、Ｒ3 を介し、開口部Ｒ1 を下向きにして図示しない天井に取り付けられており、脚部Ｒ3 、Ｒ3 の下端は、天井の下面に対応している。
【００２０】
ハンガレールＲ、Ｒ…の交差部分には、係合ローラ３１が設けられている（図２、図３）。各ハンガレールＲは、端部を斜めに切り欠いて十字状に突き合わされており、各開口部Ｒ1 の両側の壁面Ｒ1a、Ｒ1aは、隣接するハンガレールＲ、Ｒの接続部分において、それぞれ傾斜面Ｒ1bに形成されている。係合ローラ３１は、固定軸３１ａ、取付ベース３２を介し、ハンガレールＲ、Ｒ…の交差部分の天面に下向きに配設されている。係合ローラ３１は、固定軸３１ａに回転自在に装着されており、取付ベース３２は、止めねじ３２ｂ、３２ｂ…を介してハンガレールＲ、Ｒ…にねじ止めされている。
【００２１】
ランナ本体１０のブロック体１１には、頭部１３ａを有する吊りボルト１３が回転自在に垂設されており（図１、図２）、吊りボルト１３の下部は、開口部Ｒ1 を介してハンガレールＲの下方に垂下し、ロックナット１３ｂを介して間仕切りパネルＰのボスＰ1 にねじ込まれている。したがって、ランナ本体１０は、吊りボルト１３を介して間仕切りパネルＰを移動自在に吊下することができる。
【００２２】
ブロック体１１には、四周の側面に突設する固定軸１１ａ、１１ａ…を介して２方向の走行ローラ１４、１４…が回転自在に装着されている。なお、各固定軸１１ａには、走行ローラ１４とブロック体１１との間に介装するリング状のスペーサ１１ａ1 が付設されている。そこで、ランナ本体１０は、一方向の走行ローラ１４、１４がハンガレールＲの走行面Ｒ2 、Ｒ2 上を転動することにより、ハンガレールＲ内を走行移動することができる。このとき、他方向の走行ローラ１４、１４は、開口部Ｒ1 上に位置し、走行面Ｒ2 、Ｒ2 と干渉することがない。
【００２３】
円板状の蓋体１２には、複数の三角形状の係合突部１２ａ、１２ａ…を介して十字状のガイド溝１２ｂが上面に形成されている。各係合突部１２ａは、内向きの頂部に斜めのガイド面１２ａ1 が形成されており、各辺の端部を内側に湾曲させてガイド溝１２ｂの各入口部分を幅広に形成している。なお、ガイド溝１２ｂは、係合ローラ３１の径より僅かに幅広に形成されている。蓋体１２は、止めねじ１２ｃ、１２ｃ…を介してブロック体１１の上面に固定されており、各止めねじ１２ｃは、係合突部１２ａに形成する段付きのボルト孔１２ａ2 を介してブロック体１１にねじ込まれている。
【００２４】
摺動部材２１は、ブロック体１１と同大の本体部２１ａの隅角部に扇形の補助ガイド部２１ｂ、２１ｂ…を形成して構成されている。摺動部材２１は、耐摩耗性の低摩擦樹脂材料から一体成形されており、各補助ガイド部２１ｂには、取付孔２１ｃ1 を有する取付部２１ｃが上向きに形成されている。また、本体部２１ａの中央部には、吊りボルト１３が回転自在に貫通しており、摺動部材２１の下面は、下向きに膨出する滑らかな曲面に形成されている。なお、摺動部材２１は、各取付部２１ｃの取付孔２１ｃ1 に挿通する止めねじ２１ｄ、２１ｄ…を介してブロック体１１にねじ止めされており、摺動部材２１の下面は、走行ローラ１４、１４…に対し、隙間ｄ≒０．５mm相当だけ高くなっている。
【００２５】
摺動部材２１の下面には、角ブロック状のガイド部２１ｅが形成され、ガイド部２１ｅには、複数組のガイドローラ２２、２２…が組み込まれている（図２、図４）。ガイド部２１ｅは、本体部２１ａの中央部に下向きに形成されており、各隅角部には、ガイドローラ２２を収納する切欠き２１ｅ1 が形成されている。各ガイドローラ２２は、切欠き２１ｅ1 を上から下に貫通するロッド２２ａに対し、外周の一部がガイド部２１ｅの外側に突出するようにして回転自在に装着されている。なお、ガイドローラ２２、２２…は、走行ローラ１４、１４…の配設方向ごとに複数組が設けられており、ハンガローラＲの開口部Ｒ1 内において、開口部Ｒ1 の壁面Ｒ1a、Ｒ1aに対向している。
【００２６】
かかる移動間仕切りの走行ランナは、次のようにして作動する（図５、図６）。ただし、図５、図６は、ハンガレールＲ、Ｒ…が形成する十字状の交差部分に対し、走行ランナが同図の左側のハンガレールＲから進入し、直角に屈曲して下方のハンガレールＲ側に進行する場合を図示している。また、図５、図６において、走行ランナの進行に直接寄与している部材は、太線によって図示されている。
【００２７】
走行ランナのランナ本体１０には、間仕切りパネルＰ、吊りボルト１３を介して進行方向に操作力Ｆを加える。ただし、図５において、操作力Ｆは、間仕切りパネルＰを移動させる際の慣性力を含むものとし、ハンガレールＲ、Ｒ…の交差部分の近傍において間仕切りパネルＰに直角方向の外力を加えることにより、ランナ本体１０の進行方向に負荷方向を変化させるものとする。ランナ本体１０は、ハンガレールＲの直線部分において、操作力Ｆの分力Ｆa により、走行面Ｒ2 、Ｒ2 上を転動する一方向の走行ローラ１４、１４を介して直進し（図５（Ａ）、図６（Ａ））、このとき、他方向の走行ローラ１４、１４は、開口部Ｒ1 上に位置しており、ランナ本体１０の進行に寄与することがない。また、一方の組のガイドローラ２２、２２は、操作力Ｆの分力Ｆb によって開口部Ｒ1 の一方の壁面Ｒ1aに沿って転動し、ランナ本体１０が水平回転することを防止する。
【００２８】
ランナ本体１０がハンガレールＲ、Ｒ…の交差部分に進入すると（図５（Ｂ）、図６（Ｂ））、係合ローラ３１が相対的にガイド溝１２ｂに進入し、ランナ本体１０の水平回転を防止する。すなわち、進行方向前方側の一方の係合突部１２ａが係合ローラ３１に係合するとともに、進行方向後方側のガイドローラ２２が壁面Ｒ1aに接触し、したがって、係合突部１２ａ、ガイドローラ２２は、分力Ｆb によるランナ本体１０の水平回転を阻止し、ランナ本体１０を直進状態に保つことができる。
【００２９】
ランナ本体１０がさらに前進すると（図５（Ｃ）、図６（Ｃ））、走行ローラ１４、１４が走行面Ｒ2 、Ｒ2 上から交差部分の直交する開口部Ｒ1 、Ｒ1 …上に移動し、摺動部材２１は、補助ガイド部２１ｂ、２１ｂ…を介して走行面Ｒ2 、Ｒ2 …上にガイドされ、補助ガイド部２１ｂ、２１ｂ…とともに交差部分の四周の走行面Ｒ2 、Ｒ2 …上を摺動するに至る。このとき、ランナ本体１０の進行方向と直角の走行ローラ１４、１４（図５（Ｃ）の一点鎖線）は、ランナ本体１０が僅かに下降して開口部Ｒ1 、Ｒ1 …内に落ち込むことにより、進行方向前後の開口部Ｒ1 、Ｒ1 の各一方の壁面Ｒ1a、Ｒ1aに同時に接触し、ランナ本体１０の姿勢を正しく修正することができる。また、このときの係合突部１２ａは、ガイド面１２ａ1 を介して係合ローラ３１に係合することにより、ランナ本体１０を斜めにガイドし（図５（Ｃ）の矢印Ｋ1 方向）、進行方向後方側のローラ２２は、傾斜面Ｒ1bを介して壁面Ｒ1aから離脱し（図６（Ｃ））、ランナ本体１０の進行方向の変更を許容することができる。よって、ランナ本体１０は、操作力Ｆの分力Ｆb により、進行方向を同図の矢印Ｋ1 方向に円滑に変更することができる。
【００３０】
その後、ランナ本体１０は、図５（Ｄ）の矢印Ｋ2 方向に進行することにより、走行ローラ１４、１４が進行方向前方側の走行面Ｒ2 、Ｒ2 上に同時に乗り上げるとともに（図５（Ｄ）、（Ｅ））、進行方向後方側の係合突部１２ａが係合ローラ３１に係合し、進行方向前方側のガイドローラ２２が一方の壁面Ｒ1aに接触する（図６（Ｄ）、（Ｅ））。そこで、ランナ本体１０は、分力Ｆa によって有害な水平回転を生じることなく、分力Ｆb の所定方向に円滑に直進することができる（図５（Ｅ）、図６（Ｅ）の矢印Ｋ3 方向）。
【００３１】
以上のようにして、走行ランナは、ハンガレールＲ、Ｒ…の十字状の交差部分において、操作力Ｆの分力Ｆa 、Ｆb の一方のみを有効に利用し、他方による有害な水平回転を生じることなく、進行方向を連続的に円滑に変更することができる上、交差部分において移動不能に拘束されるようなトラブルを生じるおそれがない。また、走行ランナは、交差部分において一時的に停止させる必要がなく、ランナ本体１０に加える操作力Ｆの大きさや方向も、厳密な制約が殆どないから、間仕切りパネルＰの移動操作が簡単であり、全体としての操作性も極めて良好である。なお、走行ランナは、分力Ｆb を生じない一方向の操作力Ｆを加えれば、十字状の交差部分をそのまま直進して通過させることができる。
【００３２】
以上の説明において、ハンガレールＲ、Ｒ…の交差部分は、十字状に代えて、Ｔ字状、Ｌ字状であってもよい。また、各係合突部１２ａのガイド面１２ａ1 は、斜面に代えて、円弧面に形成してもよい。
【００３３】
【発明の効果】
以上説明したように、この発明によれば、２方向の走行ローラを有するランナ本体と、摺動部材とを組み合わせることによって、ランナ本体は、ハンガレールの交差部分において、摺動部材が走行面上を摺動することによって移動することができるから、交差部分の特定位置に正確に位置決めして停止させる必要がなく、移動間仕切りの移動操作を極めて簡単にすることができる上、ハンガレールを直接突き合わせて交差部分を形成することができるから、交差部分の構造を最も単純にすることができるという優れた効果がある。
【図面の簡単な説明】
【図１】  全体構成分解斜視説明図
【図２】  使用状態を示す要部拡大断面説明図
【図３】  使用状態を示す全体構成斜視説明図
【図４】  図２のＸ矢視相当拡大断面図
【図５】  動作説明図（１）
【図６】  動作説明図（２）
【符号の説明】
Ｒ…ハンガレール
Ｒ1 …開口部
Ｒ2 …走行面
１０…ランナ本体
１２ａ…係合突部
１２ａ1 …ガイド面
１２ｂ…ガイド溝
１４…走行ローラ
２１…摺動部材
２１ｂ…補助ガイド部
２２…ガイドローラ
３１…係合ローラ
【図１】
0003752608.tif 000002
【図２】
0003752608.tif 000003
【図３】
0003752608.tif 000004
【図４】
0003752608.tif 000005
【図５】
0003752608.tif 000006
【図６】
0003752608.tif 000007